(57)【要約】      （修正有）【課題】省スペースで保管可能であり、即時使用も可能なロール状部材保持具の提供。【解決手段】底板フレーム材１１と、底板フレーム材の表面に設けられた複数の突起部１２とを備え、底板フレーム材の中心位置には、底板フレーム材から直立して立設された軸部１３が配置され、軸部には、上下方向にスライド可能な複数のスライド部材１４が取り付けられ、突起部には、中空円筒状の紙管に塩化ビニルフィルムが巻かれて形成されたロール状部材３０が、一方の先端部から直立状に挿通され、複数の突起部の上部には、複数の突起部の各突起部に挿通されたロール状部材の他方の先端部をそれぞれ固定する複数のキャップ部１５が設けられており、キャップ部は、スライド部材のスライドに追従して上下方向にスライドすることにより突起部とキャップ部との間に形成される収納空間Ｓの高さ寸法を可変とし、ロール状部材の様々な幅寸法に適合するように構成されている。【選択図】図１
0003234521.tif 000002
【実用新案登録請求の範囲】
【請求項１】
底板フレーム材と、前記底板フレーム材の表面に設けられた複数の突起部とを備え、
前記底板フレーム材の中心位置には、前記底板フレーム材から直立して立設された軸部が配置され、
前記軸部には、上下方向にスライド可能な複数のスライド部材が取り付けられ、
前記突起部には、中空円筒状の紙管に塩化ビニルフィルムが巻かれて形成されたロール状部材が、一方の先端部から直立状に挿通され、
複数の前記突起部の上部には、複数の前記突起部の各突起部に挿通された前記ロール状部材の他方の先端部をそれぞれ固定する複数のキャップ部が設けられており、
前記キャップ部は、前記スライド部材に取り付けられ、前記スライド部材のスライドに追従して上下方向にスライドすることにより前記突起部と前記キャップ部との間に形成される収納空間の高さ寸法を可変とし、前記ロール状部材の様々な幅寸法に適合するように構成されていることを特徴とするロール状部材保持具。
【請求項２】
前記底板フレーム材の裏面にはキャスターが設けられ、前記キャスターが床面上で回転可能に構成されていることを特徴とする請求項１記載のロール状部材保持具。
【請求項３】
前記キャップ部は、水平方向に延びた棒状の回転軸部を有し、
前記スライド部材は、前記回転軸部が挿通される一対の孔部を有し、
前記孔部に前記回転軸部が挿通されることにより、前記キャップ部が前記スライド部材に対して回転可能に取り付けられていることを特徴とする請求項１記載のロール状部材保持具。
【請求項４】
前記突起部は、前記ロール状部材の一方の先端部の内側面に係合する円筒状の第１係合部を有し、
前記キャップ部は、円形状の本体部と、前記本体部の裏面に形成され前記ロール状部材の他方の先端部の内側面に係合する円筒状の第２係合部とを有することを特徴とする請求項１記載のロール状部材保持具。
【請求項５】
前記キャップ部は、前記本体部の外側に向かって突出した使用者が把持するレバー状把持部を有することを特徴とする請求項４記載のロール状部材保持具。
【請求項６】
前記軸部には周方向に複数のレール状溝部が軸方向に沿って形成され、前記複数のスライド部材は、それぞれ前記複数のレール状溝部に配置され、
前記スライド部材は、前記軸部周面部に当接するベース部材を有し、前記ベース部材は、前記レール状溝部に移動可能に係止する係止部と、前記軸部周面部に圧接して前記スライド部材を前記軸部の適宜の高さ位置に固定すると共に前記軸部周面部との圧接状態を解除して前記スライド部材を上下方向に移動させることが可能なロック部材とを有し、前記キャップ部はアーム部材を介して前記ベース部材に装着され、
前記ロック部材は、ベース部材を貫通して設けられ、前記ベース部材の裏面から前記軸部周面部へ突出して前記軸部周面部に圧接又は前記軸部周面部から離間する圧接片部と、前記圧接片部を前記軸部周面部へ圧接又は前記軸部周面部から離間操作可能なレバー操作部とを有することを特徴とする請求項１記載のロール状部材保持具。
【考案の詳細な説明】
【技術分野】
【０００１】
本考案は、ロール状部材保持具に係り、特に、中空円筒状の紙管に塩化ビニルフィルムが巻かれて形成されたロール状部材を保持するロール状部材保持具に関する。
【背景技術】
【０００２】
ロール状部材保持具は、看板業者が使用するロール状部材（塩化ビニルフィルムが巻かれた紙管）を保管しておくために使用される什器である。塩化ビニルフィルムは、「メディア」又は「カッティングシート」と呼ばれている。塩化ビニルフィルムは、看板本体の表面に貼られるシート状のフィルムである。
【０００３】
特許文献１には、「シートを巻回したロールを着脱自在に係合させる筒状の複数のロール係合部材が板状部材に立設されたことを特徴とするロール保管具。」が記載されている。
【０００４】
しかし、特許文献１の技術は、保管スペースの観点、即時使用の観点では、十分とは言えない。
【先行技術文献】
【特許文献】
【０００５】
【特許文献１】実用新案登録第３１６５７８１号公報
【考案の概要】
【考案が解決しようとする課題】
【０００６】
そこで、本考案の課題は、省スペースで保管可能であり、即時使用も可能なロール状部材保持具を提供することにある。
【課題を解決するための手段】
【０００７】
上記課題達成のため、請求項１記載の考案にあっては、底板フレーム材と、前記底板フレーム材の表面に設けられた複数の突起部とを備え、前記底板フレーム材の中心位置には、前記底板フレーム材から直立して立設された軸部が配置され、前記軸部には、上下方向にスライド可能な複数のスライド部材が取り付けられ、前記突起部には、中空円筒状の紙管に塩化ビニルフィルムが巻かれて形成されたロール状部材が、一方の先端部から直立状に挿通され、複数の前記突起部の上部には、複数の前記突起部の各突起部に挿通された前記ロール状部材の他方の先端部をそれぞれ固定する複数のキャップ部が設けられており、前記キャップ部は、前記スライド部材に取り付けられ、前記スライド部材のスライドに追従して上下方向にスライドすることにより前記突起部と前記キャップ部との間に形成される収納空間の高さ寸法を可変とし、前記ロール状部材の様々な幅寸法に適合するように構成されていることを特徴とする。
従って、本考案に係るロール状部材保持具にあっては、スライド部材をスライドさせてキャップ部の高さを調整することができ、様々な幅寸法のロール状部材を起立した状態で保管することができる。
【０００８】
請求項２記載の考案にあっては、前記底板フレーム材の裏面にはキャスターが設けられ、前記キャスターが床面上で回転可能に構成されていることを特徴とする。
従って、本考案に係るロール状部材保持具にあっては、ロール状部材保持具を床面で自由に移動させることができる。
【０００９】
請求項３記載の考案にあっては、前記キャップ部は、水平方向に延びた棒状の回転軸部を有し、前記スライド部材は、前記回転軸部が挿通される一対の孔部を有し、前記孔部に前記回転軸部が挿通されることにより、前記キャップ部が前記スライド部材に対して回転可能に取り付けられていることを特徴とする。
従って、本考案に係るロール状部材保持具にあっては、キャップ部を回転させながらロール状部材に被せることができる。
【００１０】
請求項４記載の考案にあっては、前記突起部は、前記ロール状部材の一方の先端部の内側面に係合する円筒状の第１係合部を有し、前記キャップ部は、円形状の本体部と、前記本体部の裏面に形成され前記ロール状部材の他方の先端部の内側面に係合する円筒状の第２係合部とを有することを特徴とする。
従って、第１係合部及び第２係合部がロール状部材の内部に嵌め込まれる。
【００１１】
請求項５記載の考案にあっては、前記キャップ部は、前記本体部の外側に向かって突出した使用者が把持するレバー状把持部を有することを特徴とする。
従って、本考案に係るロール状部材保持具にあっては、使用者はレバー状把持部を掴んで簡単にキャップ部を固定したり解除したりすることができる。
【００１２】
請求項６記載の考案にあっては、前記軸部には周方向に複数のレール状溝部が軸方向に沿って形成され、前記複数のスライド部材は、それぞれ前記複数のレール状溝部に配置され、前記スライド部材は、前記軸部周面部に当接するベース部材を有し、前記ベース部材は、前記レール状溝部に移動可能に係止する係止部と、前記軸部周面部に圧接して前記スライド部材を前記軸部の適宜の高さ位置に固定すると共に前記軸部周面部との圧接状態を解除して前記スライド部材を上下方向に移動させることが可能なロック部材とを有し、前記キャップ部はアーム部材を介して前記ベース部材に装着され、前記ロック部材は、ベース部材を貫通して設けられ、前記ベース部材の裏面から前記軸部周面部へ突出して前記軸部周面部に圧接又は前記軸部周面部から離間する圧接片部と、前記圧接片部を前記軸部周面部へ圧接又は前記軸部周面部から離間操作可能なレバー操作部とを有することを特徴とする。
従って、本考案に係るロール状部材保持具にあっては、レバー操作部を操作して、圧接片部を軸部に圧接してベース部材を軸部の適宜の高さに固定し、ロール状部材の上端部にキャップ部を被せてロール状部材を立設固定することができる。
【考案の効果】
【００１３】
請求項１記載の考案にあっては、底板フレーム材と、前記底板フレーム材の表面に設けられた複数の突起部とを備え、前記底板フレーム材の中心位置には、前記底板フレーム材から直立して立設された軸部が配置され、前記軸部には、上下方向にスライド可能な複数のスライド部材が取り付けられ、前記突起部には、中空円筒状の紙管に塩化ビニルフィルムが巻かれて形成されたロール状部材が、一方の先端部から直立状に挿通され、複数の前記突起部の上部には、複数の前記突起部の各突起部に挿通された前記ロール状部材の他方の先端部をそれぞれ固定する複数のキャップ部が設けられており、前記キャップ部は、前記スライド部材に取り付けられ、前記スライド部材のスライドに追従して上下方向にスライドすることにより前記突起部と前記キャップ部との間に形成される収納空間の高さ寸法を可変とし、前記ロール状部材の様々な幅寸法に適合するように構成されていることから、スライド部材をスライドさせてキャップ部の高さを調整することができ、様々な幅寸法のロール状部材を起立した状態で保管することができるため、どのような幅寸法のロール状部材であっても、高さの調整が自在なキャップ部で簡単に固定することができ、ロール状部材を省スペースで保管しつつ、使用時には即時にロール状部材を使用することができる。
【００１４】
請求項２記載の考案にあっては、前記底板フレーム材の裏面にはキャスターが設けられ、前記キャスターが床面上で回転可能に構成されていることから、ロール状部材保持具を床面で自由に移動させることができるため、ロール状部材を保持した状態でロール状部材保持具を移動させることができ、所望の幅寸法のロール状部材を迅速に使用することができる。
【００１５】
請求項３記載の考案にあっては、前記キャップ部は、水平方向に延びた棒状の回転軸部を有し、前記スライド部材は、前記回転軸部が挿通される一対の孔部を有し、前記孔部に前記回転軸部が挿通されることにより、前記キャップ部が前記スライド部材に対して回転可能に取り付けられていることから、キャップ部を回転させながらロール状部材に被せることができるため、キャップ部をロール状部材に被せやすく作業性を向上させることができる。
【００１６】
請求項４記載の考案にあっては、前記突起部は、前記ロール状部材の一方の先端部の内側面に係合する円筒状の第１係合部を有し、前記キャップ部は、円形状の本体部と、前記本体部の裏面に形成され前記ロール状部材の他方の先端部の内側面に係合する円筒状の第２係合部とを有することから、第１係合部及び第２係合部がロール状部材の内部に嵌め込まれるため、２つの係合部でロール状部材をしっかりと固定することができる。
【００１７】
請求項５記載の考案にあっては、前記キャップ部は、前記本体部の外側に向かって突出した使用者が把持するレバー状把持部を有することから、使用者はレバー状把持部を掴んで簡単にキャップ部を固定したり解除したりすることができるため、ワンタッチの固定及び解除により使用者の作業性を向上させることができる。
【００１８】
請求項６記載の考案にあっては、前記軸部には周方向に複数のレール状溝部が軸方向に沿って形成され、前記複数のスライド部材は、それぞれ前記複数のレール状溝部に配置され、前記スライド部材は、前記軸部周面部に当接するベース部材を有し、前記ベース部材は、前記レール状溝部に移動可能に係止する係止部と、前記軸部周面部に圧接して前記スライド部材を前記軸部の適宜の高さ位置に固定すると共に前記軸部周面部との圧接状態を解除して前記スライド部材を上下方向に移動させることが可能なロック部材とを有し、前記キャップ部はアーム部材を介して前記ベース部材に装着され、前記ロック部材は、ベース部材を貫通して設けられ、前記ベース部材の裏面から前記軸部周面部へ突出して前記軸部周面部に圧接又は前記軸部周面部から離間する圧接片部と、前記圧接片部を前記軸部周面部へ圧接又は前記軸部周面部から離間操作可能なレバー操作部とを有することから、レバー操作部を操作して、圧接片部を軸部に圧接してベース部材を軸部の適宜の高さに固定し、ロール状部材の上端部にキャップ部を被せてロール状部材を立設固定することができるため、スライド部材をワンタッチで高さ変更でき、長さの異なるロール状部材を装着できる。また、ロール状部材の収納時であっても未収納時であっても、スライド部材を任意の高さで固定することができ、利便性を向上させることができる。
【図面の簡単な説明】
【００１９】
【図１】本考案に係るロール状部材保持具の一実施の形態におけるロール状部材を保持した状態を示す斜視図である。
【図２】本考案に係るロール状部材保持具の一実施の形態におけるロール状部材を保持していない状態を示す斜視図である。
【図３】本考案に係るロール状部材保持具の一実施の形態における底板フレーム材付近を拡大して示す斜視図である。
【図４】本考案に係るロール状部材保持具の一実施の形態におけるスライド部材のロック機構について説明する図である。
【考案を実施するための形態】
【００２０】
以下、本考案に係る一実施の形態について、図面を参照しながら説明する。なお、各図面においては、理解を容易にするために、部材の形状や寸法を誇張して図示したり一部の部材を省略したりして図示している箇所もある。
図１に示すように、本実施の形態に係るロール状部材保持具１０は、底板フレーム材１１と、底板フレーム材１１の表面に設けられた複数の突起部１２とを備えている。
底板フレーム材１１の中心位置には、底板フレーム材１１から直立して立設された軸部１３が配置され、軸部１３には、上下方向にスライド可能な複数のスライド部材１４が取り付けられている。
【００２１】
突起部１２には、中空円筒状の紙管に塩化ビニルフィルムが巻かれて形成されたロール状部材３０が、一方の先端部（下端部）から直立状に挿通され、複数の突起部１２の上部には、複数の突起部１２の各突起部１２に挿通されたロール状部材３０の他方の先端部（上端部）をそれぞれ固定する複数のキャップ部１５が設けられている。
【００２２】
キャップ部１５は、スライド部材１４に取り付けられ、スライド部材１４のスライドに追従して上下方向にスライドすることにより突起部１２とキャップ部１５との間に形成される収納空間Ｓの高さ寸法を可変とし、ロール状部材３０の様々な幅寸法に適合するように構成されている。
【００２３】
図２に示すように、突起部１２は、底板フレーム材１１の表面において周方向に沿って等間隔に６個配置されている（なお、図中では５個のみ表示されている）。また、スライド部材１４及びキャップ部１５は、６個の突起部１２に対応してそれぞれ６個ずつ配置されている（なお、図中では５個ずつ表示されている）。スライド部材１４は、軸部１３の上下方向に形成された溝１３ａに嵌め込まれており、この溝１３ａに沿って上下にスライド可能である。
【００２４】
従って、本実施の形態に係るロール状部材保持具１０にあっては、スライド部材１４をスライドさせてキャップ部１５の高さを調整することができ、様々な幅寸法のロール状部材３０を起立した状態で保管することができる。
【００２５】
図２に示すように、底板フレーム材１１の裏面にはキャスター１６が設けられ、キャスター１６が床面上で回転可能に構成されている。従って、本実施の形態に係るロール状部材保持具１０にあっては、ロール状部材保持具１０を床面で自由に移動させることができる。
【００２６】
図３に示すように、キャップ部１５は、水平方向に延びた棒状の回転軸部１７を有し、スライド部材１４は、回転軸部１７が挿通される一対の孔部１８を有し、孔部１８に回転軸部１７が挿通されることにより、キャップ部１５がスライド部材１４に対して回転可能に取り付けられている。従って、本実施の形態に係るロール状部材保持具１０にあっては、キャップ部１５を回転させながらロール状部材３０に被せることができる。
【００２７】
図２に示すように、突起部１２は、ロール状部材３０の一方の先端部の内側面に係合する円筒状の第１係合部１９を有する。
また、キャップ部１５は、円形状の本体部２０と、本体部２０の裏面に形成されロール状部材３０の他方の先端部の内側面に係合する円筒状の第２係合部２１とを有する。
従って、本実施の形態に係るロール状部材保持具１０にあっては、第１係合部１９及び第２係合部２１がロール状部材３０の内部に嵌め込まれる。
【００２８】
さらに、キャップ部１５は、本体部２０の外側に向かって突出した使用者が把持するレバー状把持部２２を有する。従って、本実施の形態に係るロール状部材保持具１０にあっては、使用者はレバー状把持部２２を掴んで簡単にキャップ部１５を固定したり解除したりすることができる。
【００２９】
次に、本実施の形態に係るロール状部材保持具１０の使用方法について説明する。
まず、図２に示す状態（非収納状態）のロール状部材保持具１０を用意する。
ついで、ロール状部材保持具１０に収納したいロール状部材３０を用意する。
さらに、ロール状部材３０を収納したい箇所のスライド部材１４及びキャップ部１５をロール状部材保持具１０の上方付近までスライドさせる。このとき、キャップ部１５を水平状態よりも上向きに傾けておくと固定作業が行いやすい。
そして、ロール状部材３０の一方の先端部（下端部）を突起部１２に挿通する。これにより、ロール状部材３０の一方の先端部の内側面と第１係合部１９とが係合する。
【００３０】
その後、スライド部材１４及びキャップ部１５をロール状部材３０の他方の先端部（上端部）まで下方にスライドさせる。
最後に、レバー状把持部２２を掴んでキャップ部１５を回転させてキャップ部１５をロール状部材３０に被せ、キャップ部１５でロール状部材３０を固定する。これにより、ロール状部材３０の他方の先端部の内側面と第２係合部２１とが係合する。
そして、このような動作を行うことにより、図１に示す状態（収納状態）のロール状部材保持具１０となる。
【００３１】
次に、スライド部材１４のロック機構について説明する。
図３に示すように、軸部１３には周方向に複数のレール状溝部１３ａ（溝１３ａ）が軸方向に沿って形成され、複数のスライド部材１４は、それぞれ複数のレール状溝部１３ａに配置されている。
図４に示すように、スライド部材１４は、軸部１３（図３参照）の周面部に当接するベース部材４１を有し、ベース部材４１は、レール状溝部１３ａ（図３参照）に移動可能に係止する断面Ｔ字状の係止部４２と、軸部１３の周面部に圧接してスライド部材１４を軸部１３の適宜の高さ位置に固定すると共に軸部１３の周面部との圧接状態を解除してスライド部材１４を上下方向に移動させることが可能なロック部材４３とを有する。ベース部材４１は、軸部１３の周面部に沿うように湾曲して形成された１枚の当接面部４１ａと、当接面部４１ａの幅方向の両端部から起立して形成された２枚の起立面部４１ｂとにより構成されている。
【００３２】
キャップ部１５はアーム部材４４を介してベース部材４１に装着されている。ロック部材４３は、ベース部材４１を貫通して設けられ、ベース部材４１の裏面から軸部１３の周面部へ突出して軸部１３の周面部に圧接又は軸部１３の周面部から離間する圧接片部４５と、圧接片部４５を軸部１３の周面部へ圧接又は軸部１３の周面部から離間操作可能なレバー操作部４６とを有する。
【００３３】
図４（Ａ）に示すように、レバー操作部４６は、２枚の起立面部４１ｂの間に取り付けられた水平方向に延びた棒状の回転軸部４７を備え、ベース部材４１に対して回転可能に取り付けられている。そして、レバー操作部４６を操作して回転軸部４７を回転させると、回転軸部４７の外周に形成された突出面部４８が圧接片部４５をベース部材４１の厚さ方向に対して押し込んでベース部材４１の裏面方向へ突出させるように構成されている。
【００３４】
従って、本実施の形態に係るロール状部材保持具１０にあっては、レバー操作部４６を操作して、圧接片部４５を軸部１３の周面部に圧接させてベース部材４１を軸部１３の適宜の高さに固定し、ロール状部材３０の上端部にキャップ部１５を被せてロール状部材３０を立設固定することができる。
【００３５】
次に、スライド部材１４のロック機構の動作について説明する。
図４（Ａ）に示すように、レバー操作部４６を上側（キャップ部１５側）に倒している場合、図４（Ｂ）に示すように、圧接片部４５はベース部材４１の内部に配置される。これにより、圧接片部４５は、軸部１３（図３参照）の周面部から離間し、軸部１３の周面部との圧接状態を解除してスライド部材１４を上下方向に移動させることができる。
【００３６】
一方、図４（Ｃ）に示すように、レバー操作部４６を下側（キャップ部１５とは反対側）に倒している場合、図４（Ｄ）に示すように、圧接片部４５はベース部材４１の外側に突出して配置される。これにより、圧接片部４５は、軸部１３（図３参照）の周面部へ突出して軸部１３の周面部に圧接してスライド部材１４を軸部１３の適宜の高さ位置に固定することができる。
【００３７】
以上説明したように、本実施の形態に係るロール状部材保持具１０にあっては、スライド部材１４をスライドさせてキャップ部１５の高さを調整することができ、様々な幅寸法のロール状部材３０を起立した状態で保管することができるため、どのような幅寸法のロール状部材３０であっても、高さの調整が自在なキャップ部１５で簡単に固定することができ、ロール状部材３０を省スペースで保管しつつ、使用時には即時にロール状部材３０を使用することができる。
【００３８】
また、本実施の形態に係るロール状部材保持具１０にあっては、ロール状部材保持具１０を床面で自由に移動させることができるため、ロール状部材３０を保持した状態でロール状部材保持具１０を移動させることができ、所望の幅寸法のロール状部材３０を迅速に使用することができる。
【００３９】
さらに、本実施の形態に係るロール状部材保持具１０にあっては、キャップ部１５を回転させながらロール状部材３０に被せることができるため、キャップ部１５をロール状部材３０に被せやすく作業性を向上させることができる。
【００４０】
さらにまた、本実施の形態に係るロール状部材保持具１０にあっては、第１係合部１９及び第２係合部２１がロール状部材３０の内部に嵌め込まれるため、２つの係合部でロール状部材３０をしっかりと固定することができる。
【００４１】
その上、本実施の形態に係るロール状部材保持具１０にあっては、使用者はレバー状把持部２２を掴んで簡単にキャップ部を固定したり解除したりすることができるため、ワンタッチの固定及び解除により使用者の作業性を向上させることができる。
【００４２】
また、本実施の形態に係るロール状部材保持具１０にあっては、レバー操作部４６を操作して、圧接片部４５を軸部１３に圧接してベース部材４１を軸部１３の適宜の高さに固定し、ロール状部材３０の上端部にキャップ部１５を被せてロール状部材３０を立設固定することができるため、スライド部材１４をワンタッチで高さ変更でき、長さの異なるロール状部材３０を装着できる。また、ロール状部材３０の収納時であっても未収納時であっても、スライド部材１４を任意の高さで固定することができ、利便性を向上させることができる。
【００４３】
上述した実施の形態にあっては、以下の変形が可能である。
（１）ロール状部材保持具１０は、キャスター１６を備えていなくてもよい。
（２）ロール状部材保持具１０は、レバー状把持部２２を備えていなくてもよい。
（３）キャップ部１５は、スライド部材１４に対して回転不能に取り付けられていてもよい。
【産業上の利用可能性】
【００４４】
本考案はロール状部材保持具に係ることから、広く産業上の利用可能性を有している。
【符号の説明】
【００４５】
１０    ロール状部材保持具
１１    底板フレーム材
１２    突起部
１３    軸部
１３ａ  溝、レール状溝部
１４    スライド部材
１５    キャップ部
１６    キャスター
１７    回転軸部
１８    孔部
１９    第１係合部
２０    本体部
２１    第２係合部
２２    レバー状把持部
３０    ロール状部材
Ｓ      収納空間
４１    ベース部材
４１ａ  当接面部
４１ｂ  起立面部
４２    係止部
４３    ロック部材
４４    アーム部材
４５    圧接片部
４６    レバー操作部
４７    回転軸部
４８    突出面部
【図１】
0003234521.tif 000003
【図２】
0003234521.tif 000004
【図３】
0003234521.tif 000005
【図４】
0003234521.tif 000006